(57)【要約】【課題】  広帯域無線接続通信システムにおいて、動作モード情報を送受信するための方法を提供する。【解決手段】  送信側は、あらかじめ決定されたプリアンブルパターンを動作モードにマッピングし、動作モードが変更されると、変更された動作モードに該当するプリアンブルパターンを送信する。そして、受信側は、プリアンブルパターンを受信し、プリアンブルパターンにマッピングされた動作モード及びプリアンブルコードを検出し、動作モードに従って受信されたフレーム区間から情報を取得する。【選択図】  図２
2006014321.tif 000002
【特許請求の範囲】
【請求項１】
広帯域無線接続通信システムにおいて、動作モード情報を送受信するための方法であって、
あらかじめ決定されたプリアンブルパターンを動作モードにマッピングし、動作モードが変更されると、前記変更された動作モードに該当するプリアンブルパターンを送信するステップと、
前記プリアンブルパターンを受信し、前記プリアンブルパターンにマッピングされた前記動作モード及びプリアンブルコードを検出し、前記動作モードに従って受信されたフレーム区間から情報を取得するステップと
を含むことを特徴とする方法。
【請求項２】
前記動作モードは、下りリンクフレーム区間の間に送信されたフレームのサブチャンネル構成方式及びチャンネル符号化方式のうちの少なくとも１つを含むことを特徴とする請求項１記載の方法。
【請求項３】
前記プリアンブルパターンは、前記動作モードに従って、所定数のプリアンブル信号を時間領域で循環シフトして生成されることを特徴とする請求項１記載の方法。
【請求項４】
前記プリアンブルパターンは、前記動作モードに従って、所定数のプリアンブル信号を周波数領域で循環シフトして生成されることを特徴とする請求項１記載の方法。
【請求項５】
前記プリアンブルパターンは、前記動作モードに従って、所定数のプリアンブル信号をランダムに構成して生成されることを特徴とする請求項１記載の方法。
【請求項６】
前記プリアンブルパターンは、時間領域プリアンブルパターンの位相をシフトして生成されることを特徴とする請求項１記載の方法。
【請求項７】
前記プリアンブルパターンは、周波数領域で構成された擬似ランダムシーケンスの逆高速フーリエ変換を遂行して生成されることを特徴とする請求項１記載の方法。
【請求項８】
前記動作モード及びプリアンブルコードは、プリアンブルパターンの高速フーリエ変換を遂行し、時間領域で循環シフトによるプリアンブルコードの位相変化を検出することによって、検出されることを特徴とする請求項１記載の方法。
【請求項９】
前記動作モード及びプリアンブルコードは、プリアンブルパターンの高速フーリエ変換を遂行し、周波数領域で循環シフトによるプリアンブルコードの位相変化を検出することによって、検出されることを特徴とする請求項１記載の方法。
【請求項１０】
前記動作モード及びプリアンブルコードを検出するステップは、時間領域プリアンブルパターンに対する位相変化を抽出して動作モードを検出し、プリアンブルパターンを位相復元した後に、高速フーリエ変換を遂行してプリアンブルコードを検出することを特徴とする請求項１記載の方法。
【請求項１１】
前記動作モード及びプリアンブルコードは、前記プリアンブルパターンの高速フーリエ変換を遂行し、前記プリアンブルパターンの位相を復元することによって検出されることを特徴とする請求項１記載の方法。
【請求項１２】
広帯域無線接続通信システムにおいて、動作モード情報を送信するための方法であって、
時間領域でプリアンブル信号を循環シフトしてプリアンブルパターンのグループをあらかじめ決定するステップと、
動作モードに従って前記あらかじめ決定されたプリアンブルパターンのうちの１つを選択し、前記動作モードにマッピングするステップと、
前記選択されたプリアンブルパターンを使用してプリアンブルを生成するステップと、
前記プリアンブルを送信するステップと
を含むことを特徴とする方法。
【請求項１３】
前記動作モードは、下りリンクフレーム区間の間に送信されたフレームのサブチャンネル構成方式及びチャンネル符号化方式のうちの少なくとも１つを含むことを特徴とする請求項１２記載の方法。
【請求項１４】
広帯域無線接続通信システムにおいて、動作モード情報を受信するための方法であって、
プリアンブルを受信し、前記プリアンブルの高速フーリエ変換を遂行するステップと、
時間領域でプリアンブルパターンを循環シフトして得られたプリアンブルコードから位相変化を抽出することによって動作モードを検出するステップと、
プリアンブルコードを検出し、前記動作モード及び前記プリアンブルコードを使用してフレーム区間から情報を取得するステップと
を含むことを特徴とする方法。
【請求項１５】
前記動作モードは、下りリンクフレーム区間の間に送信されたフレームのサブチャンネル構成方式及びチャンネル符号化方式のうちの少なくとも１つを含むことを特徴とする請求項１４記載の方法。
【請求項１６】
広帯域無線接続通信システムにおいて、動作モード情報を送信するための方法であって、
周波数領域でプリアンブル信号を循環シフトしてプリアンブルパターンのグループをあらかじめ決定するステップと、
動作モードに従って前記あらかじめ決定されたプリアンブルパターンのうちの１つを選択し、前記動作モードにマッピングするステップと、
前記選択されたプリアンブルパターンを使用してプリアンブルを生成するステップと、
前記プリアンブルを送信するステップと
を含むことを特徴とする方法。
【請求項１７】
前記動作モードは、下りリンクフレーム区間の間に送信されたフレームのサブチャンネル構成方式及びチャンネル符号化方式のうちの少なくとも１つを含むことを特徴とする請求項１６記載の方法。
【請求項１８】
広帯域無線接続通信システムにおいて、動作モード情報を受信するための方法であって、
プリアンブルを受信し、前記受信されたプリアンブルの高速フーリエ変換を遂行するステップと、
周波数領域でプリアンブルパターンを循環シフトすることによって得られるプリアンブルコードから位相変化を抽出して動作モードを検出するステップと、
プリアンブルコードを検出し、前記動作モード及び前記プリアンブルコードを使用してフレーム区間から情報を取得するステップと
を含むことを特徴とする方法。
【請求項１９】
前記動作モードは、下りリンクフレーム区間の間に送信されたフレームのサブチャンネル構成方式及びチャンネル符号化方式のうちの少なくとも１つを含むことを特徴とする請求項１８記載の方法。
【請求項２０】
広帯域無線接続通信システムにおいて、動作モード情報を送信するための方法であって、
位相シフトを介してプリアンブルパターンのグループをあらかじめ決定するステップと、
動作モードに従って前記あらかじめ決定されたプリアンブルパターンのうちの１つを選択し、前記動作モードにマッピングするステップと、
前記選択されたプリアンブルパターンを使用してプリアンブルを生成するステップと、
前記プリアンブルを送信するステップと
を含むことを特徴とする方法。
【請求項２１】
前記動作モードは、下りリンクフレーム区間の間に送信されたフレームのサブチャンネル構成方式及びチャンネル符号化方式のうちの少なくとも１つを含むことを特徴とする請求項２０記載の方法。
【請求項２２】
前記位相シフトは、プリアンブル信号のそれぞれに対して設定された１つ以上の角度で遂行されることを特徴とする請求項２０記載の方法。
【請求項２３】
広帯域無線接続通信システムにおいて、動作モード情報を受信するための方法であって、
プリアンブルを受信し、プリアンブルパターンの位相変化を抽出することによって動作モードを検出するステップと、
前記プリアンブルパターンの位相を復元するステップと、
前記位相復元されたプリアンブルパターンの高速フーリエ変換を遂行することによってプリアンブルコードを検出し、前記動作モード及び前記プリアンブルコードを使用してフレーム区間から情報を取得するステップと
を含むことを特徴とする方法。
【請求項２４】
前記動作モードは、下りリンクフレーム区間の間に送信されたフレームのサブチャンネル構成方式及びチャンネル符号化方式のうちの少なくとも１つを含むことを特徴とする請求項２３記載の方法。
【請求項２５】
広帯域無線接続通信システムにおいて、動作モード情報を送信するための方法であって、
周波数領域で構成された擬似ランダムシーケンスの逆高速フーリエ変換を遂行することによってプリアンブルパターンのグループを生成するステップと、
動作モードに従って前記生成されたプリアンブルパターンのうちの１つを選択し、前記選択されたプリアンブルパターンを前記動作モードにマッピングするステップと、
前記選択されたプリアンブルパターンを使用してプリアンブルを生成するステップと、
前記プリアンブルを送信するステップと
を含むことを特徴とする方法。
【請求項２６】
前記動作モードは、下りリンクフレーム区間の間に送信されたフレームのサブチャンネル構成方式及びチャンネル符号化方式のうちの少なくとも１つを含むことを特徴とする請求項２５記載の方法。
【請求項２７】
広帯域無線接続通信システムにおいて、動作モード情報を受信するための方法であって、
プリアンブルを受信し、前記受信されたプリアンブルの高速フーリエ変換を遂行するステップと、
プリアンブルパターンを構成する擬似ランダムシーケンスを抽出することによって、プリアンブルコード及び動作モードを検出するステップと、
前記動作モード及び前記プリアンブルコードを使用して前記動作モードに従って受信されたフレーム区間から情報を取得するステップと
を含むことを特徴とする方法。
【請求項２８】
前記動作モードは、下りリンクフレーム区間の間に送信されたフレームのサブチャンネル構成方式及びチャンネル符号化方式のうちの少なくとも１つを含むことを特徴とする請求項２７記載の方法。
【発明の詳細な説明】
【技術分野】
【０００１】
本発明は、広帯域無線接続（Broadband Wireless Access；ＢＷＡ）通信システムにおいて、動作モードを決定して検出するための方法に関し、特に、直交周波数分割多重接続（Orthogonal Frequency Division Multiple Access；以下、“ＯＦＤＭＡ”と称する）方式を使用する広帯域無線接続通信システムにおいて、動作モードの情報を送受信するための方法に関する。
【背景技術】
【０００２】
セルラー通信技術を使用する移動通信システムが一般的な無線通信システムである。このような移動通信システムは、複数のユーザと同時に通信を遂行するために多重接続方式を使用する。このように、移動通信システムで使用する典型的な多重接続方式は、時分割多重接続（Time Division Multiple Access：ＴＤＭＡ）方式及び符号分割多重接続（Code Division Multiple Access：ＣＤＭＡ）方式を含む。上記ＣＤＭＡ方式のシステムは、技術の急速な発展とともに、音声通信システムから高速でパケットデータを送信することができるシステムに発展している。
【０００３】
しかしながら、上記ＣＤＭＡ方式は、制限されたコード資源によってさらに多いマルチメディアデータを送信するのには困難性を有する。従って、ＯＦＤＭＡ方式を使用するＢＷＡ通信システムは、さらに多いユーザを区分し、さらに多いデータを送信することができる。上記ＯＦＤＭＡ方式は、複数の直交性を保持する副搬送波（sub-carrier）、すなわち、少なくとも１つのサブキャリアを有するサブチャンネル（Sub-channel）を用いて高速でデータを送受信する。
【０００４】
このように、高速のデータを送信するために、上記ＯＦＤＭＡ方式を使用するＢＷＡ通信システムが提案されてきている。また、上記ＯＦＤＭＡ方式を使用して高速の無線インターネットサービスを提供するための多くの研究及び努力が継続してなされている。上記ＯＦＤＭＡ方式を使用するＢＷＡ通信システムは、多様な動作モードを提示している。このような動作モードについて説明すると、下記の通りである。
まず、下記のような４つの方式、すなわち、 部分サブチャンネルの活用（Partial Usage of Sub-Channel；以下、‘ＰＵＳＣ’と称する）方式、全体サブチャンネルの活用（Full Usage of Sub-Channel；以下、‘ＦＵＳＣ’と称する）方式、選択型ＦＵＳＣ（Optional FUSC）方式、及び適応変調符号化（Adaptive Modulation Coding；以下、‘ＡＭＣ’と称する）方式のうちの１つでサブチャンネル（Sub-channel）を構成する。
また、４つのチャンネル符号化方式、すなわち、コンボルーションコーディング（Convolutional Coding；以下、‘ＣＣ’と称する）方式、コンボルーションターボコーディング（Convolutional Turbo Coding；以下、‘ＣＴＣ’と称する）方式、ブロックターボコーディング（Block Turbo Coding；以下、‘ＢＴＣ’と称する）方式、及びゼロテールコンボルーションコーディング（Zero Tail Convolutional Coding；以下、‘ＺＴＣＣ’と称する）方式がある。
【０００５】
上記サブチャンネル構成方式について簡単に説明すると、下記の通りである。
（ａ） ＰＵＳＣ方式：全周波数帯域でデータ用に割り当てられたサブキャリア（sub-carrier）のうちの一部のみを使用してサブチャンネルを構成する。
（ｂ）  ＦＵＳＣ方式：全周波数帯域でデータ用に割り当てられたサブキャリアの全体を使用してサブチャンネルを構成する。
（ｃ）  選択型ＦＵＳＣ方式：サブチャンネルを構成するのに使用される方式を除いては、ＦＵＳＣと類似している。
（ｄ）  ＡＭＣ方式：全周波数帯域を隣接する帯域に分けてサブチャンネルを構成する。
【０００６】
図１は、一般的なＢＷＡ通信システムにおける下りリンクフレームの動作モードの一例を示す図である。図１を参照すると、下りリンクフレームは、プリアンブル及び上記プリアンブル（preamble）に後続するフレーム制御ヘッダー（Frame Control Header；以下、‘ＦＣＨ’と称する）を含む。上記ＦＣＨは、下りリンクフレーム区間の間に送信されるサブチャンネル構成方式を送信する。
図１において、サブチャンネル構成方式は、ＰＵＳＣ（部分サブキャリアの活用）方式、ＦＵＳＣ（全体サブキャリアの活用）方式、選択型ＦＵＳＣ方式、及びＡＭＣ方式を含む。
【０００７】
上記ＦＣＨは、フレーム制御情報、上りリンク／下りリンクマップの位置、マップを構成するサブチャンネル構成方式及びチャンネル符号化方式を送信する。従って、上記ＦＣＨを復号する前に、次に送信されるシンボルに関する情報を取得することができないので、データを復号することができない。結果的に、上記ＦＣＨは、あらかじめ約束されたサブチャンネル構成方式及びチャンネル符号化方式を使用する。このような規則に従って、上記ＦＣＨを復号した後に、次に送信される下りリンク／上りリンクのマップ情報を復号する。
【０００８】
一般に、データ通信を遂行する場合に、すなわち、上記ＦＣＨの最初送信が行われる間に、上記サブチャンネル構成方式のうちの１つが選択される。実際に、上述したような多様な動作モードのうちから、プリアンブル後の下りリンクの開始点で固定された１つの動作モードのみが可能である。すなわち、フレーム制御情報が送信される下りリンクの最初幾つかのシンボルに対して、固定された１つの動作モードのみが使用されることができる。
【０００９】
現在のＢＷＡ通信システムは、ＦＣＨ及び下りリンク／上りリンクマップに対して、上記サブチャンネル構成方式のうち、ＰＵＳＣ方式にてサブチャンネルを構成し、チャンネル符号化方式としては、コンボルーションコーディング（convolutional coding）方式を使用すると規定している。
上述したプリアンブルの後の下りリンクの開始点で、固定された１つの動作モードの制限によって、システムの設計及び運用が非効率なものとなってしまう。時として、サービスプロバイダー又はデベロッパーが特定のシステムで最初の（initial）サブチャンネル構成方式及び最初のチャンネル符号化方式を使用することができない。従って、現在のＢＷＡ通信システムは、上述した動作モードの制限によって不必要な資源浪費が発生する、という問題点があった。
【００１０】
一方、フレーム制御ヘッダー（ＦＣＨ）に対する最初動作モードが定義されていないか又は知られていないと、上記ＦＣＨのシンボルに対する復号が不可能である。この場合には、次に送信されるデータシンボルに対するサブチャンネル構成方式及びチャンネル符号化方式を判断することができない。従って、データシンボルに対する復号も不可能になる、という問題点があった。結果的に、上述した動作モードによるシステムの運用上の資源浪費を防止し、動作モードを決定して検出する方法が要求されてきている。
【発明の開示】
【発明が解決しようとする課題】
【００１１】
上記背景に鑑みて、本発明の目的は、ＢＷＡ通信システムにおいて、多様な動作モードを使用することができる動作モード情報送受信方法を提供することにある。
本発明の他の目的は、ＢＷＡ通信システムの設計及び運用に柔軟に適用可能な動作モード情報送受信方法を提供することにある。
【課題を解決するための手段】
【００１２】
このような目的を達成するために、本発明の第１の特徴によれば、広帯域無線接続通信システムにおいて、動作モード情報を送受信するための方法は、あらかじめ決定されたプリアンブルパターンを動作モードにマッピングし、動作モードが変更されると、上記変更された動作モードに該当するプリアンブルパターンを送信するステップと、上記プリアンブルパターンを受信し、上記プリアンブルパターンにマッピングされた上記動作モード及びプリアンブルコードを検出し、上記動作モードに従って受信されたフレーム区間から情報を取得するステップとを含むことを特徴とする。
【００１３】
本発明の第２の特徴によれば、広帯域無線接続通信システムにおいて、動作モード情報を送信するための方法は、時間領域でプリアンブル信号を循環シフト（cyclic shifting）してプリアンブルパターンのグループをあらかじめ決定するステップと、動作モードに従って上記あらかじめ決定されたプリアンブルパターンのうちの１つを選択し、上記動作モードにマッピングするステップと、上記選択されたプリアンブルパターンを使用してプリアンブルを生成するステップと、上記プリアンブルを送信するステップとを含むことを特徴とする。
【００１４】
本発明の第３の特徴によれば、広帯域無線接続通信システムにおいて、動作モード情報を受信するための方法は、プリアンブルを受信し、上記プリアンブルの高速フーリエ変換を遂行するステップと、時間領域でプリアンブルパターンを循環シフトして得られたプリアンブルコードから位相変化を抽出することによって動作モードを検出するステップと、プリアンブルコードを検出し、上記動作モード及び上記プリアンブルコードを使用してフレーム区間から情報を取得するステップとを含むことを特徴とする。
【００１５】
本発明の第４の特徴によれば、広帯域無線接続通信システムにおいて、動作モード情報を送信するための方法は、周波数領域でプリアンブル信号を循環シフトしてプリアンブルパターンのグループをあらかじめ決定するステップと、動作モードに従って上記あらかじめ決定されたプリアンブルパターンのうちの１つを選択し、上記動作モードにマッピングするステップと、上記選択されたプリアンブルパターンを使用してプリアンブルを生成するステップと、上記プリアンブルを送信するステップとを含むことを特徴とする。
【００１６】
本発明の第５の特徴によれば、広帯域無線接続通信システムにおいて、動作モード情報を受信するための方法は、プリアンブルを受信し、上記受信されたプリアンブルの高速フーリエ変換を遂行するステップと、周波数領域でプリアンブルパターンを循環シフトすることによって得られるプリアンブルコードから位相変化を抽出して動作モードを検出するステップと、プリアンブルコードを検出し、上記動作モード及び上記プリアンブルコードを使用してフレーム区間から情報を取得するステップとを含むことを特徴とする。
【００１７】
本発明の第６の特徴によれば、広帯域無線接続通信システムにおいて、動作モード情報を送信するための方法は、位相シフトを介してプリアンブルパターンのグループをあらかじめ決定するステップと、動作モードに従って上記あらかじめ決定されたプリアンブルパターンのうちの１つを選択し、上記動作モードにマッピングするステップと、上記選択されたプリアンブルパターンを使用してプリアンブルを生成するステップと、上記プリアンブルを送信するステップとを含むことを特徴とする。
【００１８】
本発明の第７の特徴によれば、広帯域無線接続通信システムにおいて、動作モード情報を受信するための方法は、プリアンブルを受信し、プリアンブルパターンの位相変化を抽出することによって動作モードを検出するステップと、上記プリアンブルパターンの位相を復元するステップと、上記位相復元されたプリアンブルパターンの高速フーリエ変換を遂行することによってプリアンブルコードを検出し、上記動作モード及び上記プリアンブルコードを使用してフレーム区間から情報を取得するステップとを含むことを特徴とする。
【００１９】
本発明の第８の特徴によれば、広帯域無線接続通信システムにおいて、動作モード情報を送信するための方法は、周波数領域で構成された擬似ランダムシーケンスの逆高速フーリエ変換を遂行することによってプリアンブルパターンのグループを生成するステップと、動作モードに従って上記生成されたプリアンブルパターンのうちの１つを選択し、上記選択されたプリアンブルパターンを上記動作モードにマッピングするステップと、上記選択されたプリアンブルパターンを使用してプリアンブルを生成するステップと、上記プリアンブルを送信するステップとを含むことを特徴とする。
【００２０】
本発明の第９の特徴によれば、広帯域無線接続通信システムにおいて、動作モード情報を受信するための方法は、プリアンブルを受信し、前記受信されたプリアンブルの高速フーリエ変換を遂行するステップと、プリアンブルパターンを構成する擬似ランダムシーケンス（pseudo-random sequence）を抽出することによって、プリアンブルコード及び動作モードを検出するステップと、前記動作モード及び前記プリアンブルコードを使用して前記動作モードに従って受信されたフレーム区間から情報を取得するステップとを含むことを特徴とする。
【発明の効果】
【００２１】
本発明は、ＢＷＡ通信システムにおいて、システムの最初動作モードを固定せず、プリアンブルを使用して端末機に動作モード情報を送信することによって、動作モードの設計及び応用を柔軟に実現することができる。このようにして、ＢＷＡ通信システムにおいて、多様な動作モードを可能にすることができる、という長所を有する。
【発明を実施するための最良の形態】
【００２２】
以下、本発明の好適な実施形態について添付図面を参照して詳細に説明する。なお、図面中、同一の構成要素及び部分には、可能な限り同一の符号及び番号を共通使用するものとする。下記の説明において、本発明の要旨のみを明瞭するために、公知の機能又は構成に対する詳細な説明は省略する。
【００２３】
本発明は、固定された最初動作モードではなく、幾つかの選択的な動作モードのうちの１つに関する情報を各下りリンクの最初に送信されるプリアンブルに載せて送信する方法を提案する。このような方式にて、本発明は、必須動作モードを指定せずにも、基本的なシステムパラメータを取得することができる技術を提示する。
本発明の実施形態によるシステムの最初動作モードは、受信側にプリアンブルを使用して動作モードを通知することができる。このような動作モードに関する情報ビットは、既存のＢＷＡ通信システムにおけるプリアンブルに対する変化又は操作を行わないようにする。従って、上記動作モードに関する情報ビットは、現在のＢＷＡ通信システムで使用されるコードに付加されることができる。
【００２４】
例えば、上記付加情報ビットは、それぞれのプリアンブル信号を時間領域（時間軸）であらかじめ決定された時間だけ循環シフトするか、又は、周波数領域（周波数軸）で、あらかじめ決定された間隔だけ循環シフトして送信されることができる。又は、上記付加情報は、それぞれの周波数領域（周波数軸）プリアンブル信号を逆高速フーリエ変換（Inverse Fast Fourier Transform；ＩＦＦＴ）を介して時間領域信号へシフトする場合に発生する時間領域プリアンブルパターンを位相シフトして送信されることができる。又は、周波数領域（周波数軸）で構成された擬似ランダムシーケンス（pseudo-random sequence）をプリアンブル信号として使用して付加情報の送信が可能である。
【００２５】
本発明は、最初送信プリアンブルを介してＯＦＤＭＡ方式を使用するＢＷＡ通信システムの最初動作モードを送信する。従って、現在のＢＷＡ通信システムにおいて必須事項で規定されている最初動作モードＰＵＳＣ（partial usage subcarriers）を使用しなくてもよく、サービスプロバイダー又はデベロッパーの要求に応じて、多様な最初動作モードのうちの１つを選択的に使用することができる。このように、最初動作モードをさらに柔軟に適用して上記必須動作モードの使用に従う非効率性及び資源の浪費を減少させることができる。
【００２６】
図２は、本発明の実施形態によるＢＷＡ通信システムにおける下りリンクフレームの動作モードの一例を示す図である。
図２を参照すると、新たな下りリンクフレームの動作モードは、最初動作モードを設定する部分という観点で、既存の下りリンクフレームの動作モードとは異なる。従って、図２の下りリンクフレームでは、プリアンブルを使用してフレーム制御ヘッダー（Frame control header；以下、“ＦＣＨ”と称する）に対するサブチャンネル構成方式及びチャンネル符号化方式を指定することができる。また、上記プリアンブルを使用して上記ＦＣＨに対するサブチャンネル構成方式及びチャンネル符号化方式を指定する新たな方案を説明する。
【００２７】
本発明は、プリアンブルを使用してサブチャンネル構成方式及びチャンネル符号化方式のうちの１つ又はすべてを変更することができる。従って、本発明は、サブチャンネル構成方式としてＰＵＳＣ方式のみを使用する従来技術とは異なり、プリアンブルパターンに従ってサブチャンネル構成方式を変更することができる。また、プリアンブルマッピング方法に従って、サブチャンネル構成方式及びチャンネル符号化方式のうちの１つ又はすべてを変更することができる。
このようなサブチャンネル構成方式及びチャンネル符号化方式のうちの１つ又はすべてを変更するためのプリアンブルパターン（各サブキャリアを介して送信されるプリアンブルコード）については、添付図面を参照してさらに詳細に説明する。
【００２８】
このような方式にて、本発明は、ＦＣＨ及び下りリンク／上りリンクマップに用いられるサブチャンネル構成方式及びチャンネル符号化方式をすべての下りリンクフレームに規則的に送信されたプリアンブルを介して送信し、これによって、従来の固定された動作モードで規定された最初動作モードの必要性を除去することができる。従って、最初動作モードは、プリアンブルを介して送信され、上記ＦＣＨ及び下りリンク／上りリンクマップは、プリアンブルから検出された最初動作モードを使用して復号する。この後、次に送信されるＯＦＤＭＡシンボルに対するサブチャンネル構成方式及びチャンネル符号化方式は、上記ＦＣＨ及び下りリンク／上りリンクマップを介して送信され、これによってデータ復号が可能である。
【００２９】
図３は、本発明の実施形態によるＢＷＡ通信システムにおける最初動作モードを検出して次に送信されるシンボルに対するデータ復号を遂行する動作を示すフローチャートである。
図３を参照すると、ステップ３００で、端末機は、基地局からプリアンブルを受信した後に、ステップ３０２へ進行する。このとき、上記プリアンブルを受信すると、端末機は、基地局が送信しようとするＦＣＨのサブチャンネル構成方式及び／又はチャンネル符号化方式に関する情報を取得することができる。ステップ３０２で、端末機は、最初動作モードを検出し、ステップ３０４で、システム情報を抽出する。ここで、上記システム情報は、上記ＦＣＨの復調及び復号を遂行することによって得られることができる。
ステップ３０６で、端末機は、下りリンク及び上りリンクに割り当てられた情報を抽出した後に、ステップ３０８に進行する。ここで、上記上りリンク及び下りリンク情報は、ＦＣＨに含まれているマップ（ＭＡＰ）情報を用いて抽出されることができる。ステップ３０８で、端末機は、上述したように、上りリンク及び下りリンク情報を抽出した後に、上りリンクを介してデータを送信し、下りリンクを介して受信されたデータを復号することができる。
【００３０】
上述したように、本発明は、プリアンブルを介して最初動作モード情報を送信する３つの方法を提案する。一番目に、プリアンブル信号を時間領域及び周波数領域で所定の間隔で又は所定の遅延時間だけ循環シフトして、最初動作モード情報を送信する方法を提案する。二番目に、それぞれの周波数領域プリアンブル信号を逆高速フーリエ変換を介して時間領域信号にシフトする場合に発生する時間領域プリアンブルパターンを位相シフトして、最初動作モード情報を送信する方法を提案する。三番目に、周波数領域で構成された擬似ランダムシーケンスの逆高速フーリエ変換を遂行することによって、最初動作モード情報を送信する方法を提案する。
【００３１】
第１の方法
以下、時間軸に基づく実施形態及び周波数領域に基づく実施形態に区分して説明する。
図４は、本発明の実施形態によるＢＷＡ通信システムにおけるプリアンブルを構成する方法を説明するための図である。
図４を説明する前に、保護区間は、本発明とは関係がないので省略し、最初動作モードは、４種類があると仮定して例に挙げて説明する。従って、上記最初動作モードの数は、変更可能である。
図４を参照すると、プリアンブル信号を時間軸に循環シフトして４種類の最初動作モードを区分する。元のプリアンブル信号が時間軸上で‘Ａ→Ｂ→Ｃ→Ｄ’のパターンを有すると仮定する。下記の説明において、元のプリアンブル信号に基づくモードを最初動作モード“Ｍｏｄｅ＃１”として設定する。また、上記時間軸（又は時間領域）パターンを循環シフトさせるか又は遅延させると、下記のような最初動作モードＭｏｄｅ＃２、Ｍｏｄｅ＃３、及びＭｏｄｅ＃４を得ることができる。
最初動作モードＭｏｄｅ＃２；Ｂ→Ｃ→Ｄ→Ａ
最初動作モードＭｏｄｅ＃３；Ｃ→Ｄ→Ａ→Ｂ
最初動作モードＭｏｄｅ＃４；Ｄ→Ａ→Ｂ→Ｃ
【００３２】
このように、１つの基本時間領域プリアンブルパターンに対して４種類の最初動作モードの設定が可能である。これは、上記ＯＦＤＭシンボル区間を４つの部分に仮定して区分した場合である。従って、多くのパターンが存在することができる。すなわち、上記プリアンブルパターンの循環シフトを実行せず、ランダムシフトを実行する場合に、最大２４種類のパターンが存在することもできる。下記の説明では、説明の便宜上、上記プリアンブルパターンの循環シフトを遂行する方法について説明する。
【００３３】
上述したように、時間領域プリアンブルパターンが循環シフトされる場合に、周波数軸（周波数領域）プリアンブルパターンは、各サブキャリアインデックスに該当し、循環された時間に従って位相シフトされる。このような関係は、式(1)の通りに表現されることができる。
【００３４】
【数１】
2006014321.tif 000003
【００３５】
式(1)において、上記(2)は、循環シフトされた後に、ｋ番目のサブキャリアのプリアンブルコードであり、ｃｋは、元のｋ番目のサブキャリアのプリアンブルコードであり、‘ｋ’は、サブキャリアインデックスであり、‘ｎ’は、循環シフトされたサンプル、すなわち、遅延したサンプル時間である。そして、ＮＦＦＴは、ＯＦＤＭＡシンボルを生成するための高速フーリエ変換（ＦＦＴ）の大きさを示す。
【００３６】
図５は、本発明の実施形態によるＢＷＡ通信システムにおけるプリアンブルを構成する方法を概略的に示す。
図５を説明する前に、図４と同様に、保護区間は省略し、最初動作モードは、４種類があると仮定して例に挙げて説明する。従って、上記最初動作モードの数は、変更可能である。
図５を参照すると、プリアンブル信号を周波数軸で循環シフトして４種類の最初動作モードを区分する。元のプリアンブル信号が周波数軸上で‘Ｆ１、Ｆ２、Ｆ３、Ｆ４’のパターンを有すると仮定する。このように、元のプリアンブル信号に基づくモードは、“Ｍｏｄｅ＃１”として設定し、上記周波数領域パターンを循環シフトして得られた‘Ｆ２、Ｆ３、Ｆ４、Ｆ１’のパターンは、“Ｍｏｄｅ＃２”として設定する。同様に、上記プリアンブル信号を循環シフトして得られた‘Ｆ３、Ｆ４、Ｆ１、Ｆ２’のパターンは、“Ｍｏｄｅ＃３”として設定する。終わりに、‘Ｆ４、Ｆ１、Ｆ２、Ｆ３’のパターンは、“Ｍｏｄｅ＃４”として設定される。このように、１つの周波数領域プリアンブルパターンに対して４種類の最初動作モードを設定することができる。図４と同様に、周波数領域プリアンブルパターンは、循環シフトではないランダムシフトを遂行する。
【００３７】
本発明の実施形態による最初動作モードの種類は、４つに限定されている。しかしながら、最初動作モードの数は、変更可能である。
このようなプリアンブルを送信することによって、最初動作モードに関する情報を送信することができる。従って、端末機は、フレームごとに最初のシンボルに送信された下りリンクプリアンブルを介して最初動作モードを検出することができ、この検出結果を使用して、ＦＣＨ及び下りリンク／上りリンクマップに関する情報を復号することができる。
【００３８】
上述した説明は、プリアンブル区分方式に関する。ＦＣＨのサブチャンネル構成方式又はチャンネル符号化方式は、上記プリアンブル区分方式にマッピングされ、システム情報としてあらかじめ貯蔵される。この場合に、ＦＣＨの固定された送信方式を使用しなくてもデータを効率的に送信することができる。
上記のように、プリアンブルにあらかじめ設定された幾通りの最初動作モードのうちの１つに関する情報を載せて送信すると、端末機は、上記最初動作モード情報を検出してシステム情報を取得しなければならない。図４に示すように、最初動作モード情報が時間軸で循環シフトを介して送信される場合に、又は、図５に示すように、周波数軸で循環シフトを介して最初動作モード情報を送信する場合に、端末機は、該当検出アルゴリズムとして図６のような動作を遂行しなければならない。
【００３９】
図６は、本発明の実施形態によるプリアンブルから動作モードを検出する時の端末機の動作を示すフローチャートである。
図６を参照すると、ステップ６００で、端末機は、プリアンブルを受信し、ステップ６０２で、初期同期を取得する。ここで、上記初期同期の取得とは、フレーム同期、サンプリングタイミング同期、及び周波数同期の取得を意味する。
ステップ６０４で、端末機は、高速フーリエ変換（ＦＦＴ）を遂行する。ステップ６０６で、端末機は、時間領域での循環シフトである場合には、各プリアンブルパターンに対する時間遅延、すなわち、時間領域での循環シフトによるプリアンブルパターンの位相変化を抽出する。しかしながら、端末機は、周波数領域での循環シフトである場合には、各プリアンブルパターンに対して周波数領域での循環シフトによるプリアンブルパターンの位相変化を検出する。このように、端末機は、上記プリアンブルパターンの位相変化を検出する。ステップ６０８で、端末機は、時間領域又は周波数領域での循環シフトを認知することによって、上記プリアンブルパターンにマッピングされた動作モードを検出する。ステップ６１０で、端末機は、プリアンブルコードを検出する。
【００４０】
ステップ６１２で、端末機は、セル及びセクター検索を完了し、ステップ６１４で、システム情報を抽出する。ステップ６１６で、端末機は、下りリンク及び上りリンクに割り当てられた情報を抽出した後に、ステップ６１８に進行する。ここで、上記上りリンク及び下りリンク情報は、ＦＣＨに含まれているマップ情報を用いて抽出することができる。上述したように、ステップ６１８で、端末機は、下りリンク及び上りリンク情報を抽出した後に、上りリンクを介してデータを送信し、下りリンクを介して受信されたデータを復号する。
【００４１】
図６を参照して、上述した時間領域及び周波数領域での循環シフトを使用して、多様なプリアンブルパターンを適用する方法について説明した。従って、上記時間領域及び周波数領域での循環シフトに従うそれぞれの動作を図６に示す。
図６に示すように、基本的に、プリアンブルは、セル又はセクターを区分することができるように、各セル又はセクター識別子（ＩＤ）に従って幾通りのパターン（周波数軸上のコード）のうちの１つを選択して送信される。これは、符号分割多重接続（Code Division Multiple Access；ＣＤＭＡ）移動通信システムにおける擬似ランダムノイズ（Pseudo-random Noise；以下、‘ＰＮ’と称する）シーケンスが基地局ごとに異なって設定されているように、ＯＦＤＭＡシステムにおけるプリアンブルが基地局ごとに異なって設定されているので可能である。従って、上記時間領域循環シフト方式又は周波数領域循環シフト方式が最初動作モード情報を付加的に送信するのに使用されると、プリアンブルパターンの数は、最初動作モードの組合せ可能な数の倍だけ増加し、端末機は、このようなすべてのプリアンブルパターンを区分しなければならない。このようなプリアンブルパターンは、従来のプリアンブル検出方式にて区分されることができ、従来技術でよく知られているので、その詳細な説明は省略する。
【００４２】
第２の方法
第２の方法は、時間領域プリアンブルパターンの位相シフトを介して、最初動作モード情報を送信する方法である。
図７Ａ及び図７Ｂを参照して、時間領域プリアンブルパターンの位相を０°又は１８０°にシフトしてプリアンブルを構成する方法について説明する。
図７Ａ及び図７Ｂを説明する前に、保護区間は、本発明とは関係がないので省略し、最初動作モードは、４種類があると仮定して例に挙げて説明する。従って、上記最初動作モードの数は、変更可能である。
【００４３】
図７Ａは、本発明の他の実施形態によるサブキャリアにプリアンブル信号をマッピングする方法の一例を示す図である。
図７Ａを参照すると、プリアンブルコードと上記プリアンブルコードを送信するのに用いられるサブキャリアとのマッピング関係を示す。図７Ａ及び図７Ｂを参照して、プリアンブルパターンの位相をシフトする方法について説明する。
【００４４】
図７Ｂは、本発明の他の実施形態によるＢＷＡ通信システムにおけるプリアンブルを構成する方法を概略的に示す。
図７Ｂを参照すると、図７Ａのような方式にて、上記プリアンブルコードが上記サブキャリアにマッピングされる場合に、時間領域では、同一のパターンが３回反復される。従って、このような時間領域プリアンブルパターンの位相を０°又は１８０°にシフトすることによって、１つの基本時間領域プリアンブルパターンに対して、４種類のプリアンブルパターンを得ることができる。図７Ｂは、最初動作モードに従って３回反復された時間領域プリアンブル信号によって設定された相互に異なる動作モードを示す。
【００４５】
上記時間領域プリアンブル信号パターンは、最初動作モードに従って３回反復され、４種類の動作モードは、それぞれ（０°，０°，０°）、（０°，０°，１８０°）、（０°，１８０°，０°）、及び（０°，１８０°，１８０°）の位相シフトによって区分される。
元のプリアンブル信号が‘（Ａ）→（Ａ）→（Ａ）’の方式にて時間軸で３回反復されるパターンを有すると仮定する。このように、元のプリアンブル信号に基くモードは、“Ｍｏｄｅ＃１”として設定される。また、下記のような最初動作モードＭｏｄｅ＃２、 Ｍｏｄｅ＃３、及びＭｏｄｅ＃４は、上記時間領域パターンを位相シフトして得られることができる。
最初動作モード Ｍｏｄｅ＃２；（Ａ）→（Ａ）→（−Ａ）
最初動作モード Ｍｏｄｅ＃３；（Ａ）→（−Ａ）→（Ａ）
最初動作モード Ｍｏｄｅ＃４；（Ａ）→（−Ａ）→（−Ａ）
【００４６】
このように、１つの基本時間領域プリアンブルパターンに対して４種類の最初動作モードを設定することができる。プリアンブルパターンが３回反復され、位相が１８０°シフトされると仮定する。従って、これよりも大きい位相シフト及び上記プリアンブルパターンの反復回数を仮定すると、さらに多くのパターンが存在することができる。すなわち、上記プリアンブルパターンを、０°及び１８０°に位相シフトせず、例えば、４５°及び９０°に多様に位相シフトする場合には、さらに多くの組合せの数を得ることができる。
【００４７】
次に、図８Ａ及び図８Ｂを参照して、上記時間領域プリアンブルパターンを０°、９０°、１８０°、及び２７０°に位相シフトしてプリアンブルを構成する方法を説明する。
図８Ａ及び図８Ｂを説明する前に、保護区間は、本発明とは関係がないので省略し、最初動作モードは、４種類があると仮定して例に挙げて説明する。従って、上記最初動作モードの数は、変更可能である。
【００４８】
図８Ａは、本発明の他の実施形態によるサブキャリアにプリアンブル信号をマッピングする一例を示す図である。
図８Ａを参照すると、プリアンブルコードと上記プリアンブルコードを送信するのに用いられるサブキャリアとのマッピング関係を示す。図８Ａ及び図８Ｂを参照して、プリアンブルパターンの位相をシフトする方法について説明する。
【００４９】
図８Ｂは、本発明の他の実施形態によるＢＷＡ通信システムにおけるプリアンブルを構成する方法を概略的に示す。
図８Ｂを参照すると、図８Ａのような方式にて、上記プリアンブルコードが上記サブキャリアにマッピングされる場合に、時間領域では、同一のパターンが２回反復される。従って、このような時間領域プリアンブルパターンの位相を０°、９０°、１８０°、及び２７０°にシフトすることによって、１つの基本時間領域プリアンブルパターンに対して、４種類のプリアンブルパターンを得ることができる。図８Ｂは、最初動作モードに従って２回反復された時間領域プリアンブル信号によって設定された相互に異なる動作モードを示す。
【００５０】
上記時間領域プリアンブル信号パターンは、最初動作モードに従って２回反復され、４種類の動作モードは、それぞれ（０°，０°）、（０°，９０°）、（０°，１８０°）、及び（０°，２７０°）に位相をシフトして区分される。元のプリアンブル信号が‘（Ａ）→（Ａ）’の方式にて時間軸で２回反復されるパターンを有すると仮定する。このように、元のプリアンブル信号に基くモードは、“Ｍｏｄｅ＃１”として設定される。また、下記のような最初動作モードＭｏｄｅ＃２、 Ｍｏｄｅ＃３、及びＭｏｄｅ＃４は、上記時間領域パターンを位相シフトして得られることができる。
最初動作モード Ｍｏｄｅ＃２；（Ａ）→（ｊ×Ａ）
最初動作モード Ｍｏｄｅ＃３；（Ａ）→（−Ａ）
最初動作モード Ｍｏｄｅ＃４；（Ａ）→（−ｊ×Ａ）
【００５１】
ここで、‘ｊ’は、虚数を示し、−１の累乗根を意味する。
ここでも、図７Ａ及び図７Ｂと類似した方法を使用して、１つの基本時間領域プリアンブルパターンに対して、複数の最初動作モードを示すことができる。
従って、本発明の他の実施形態に従って設定された最初動作モードの種類は、４つに限定されている。しかしながら、最初動作モードの数は、変更可能である。
このようなプリアンブルを送信することによって、最初動作モードに関する情報を送信することができる。従って、端末機は、フレームごとに最初のシンボルに送信された下りリンクプリアンブルを介して最初動作モードを検出することができ、この検出結果を使用して、ＦＣＨ及び下りリンク／上りリンクマップに関する情報を復号することができる。
【００５２】
図７Ａ〜図８Ｂを参照して上述した内容は、プリアンブル区分方式に関する。ＦＣＨのサブチャンネル構成方式又はチャンネル符号化方式は、上記プリアンブル区分方式にてマッピングされ、システム情報としてあらかじめ貯蔵される。この場合に、ＦＣＨの固定された送信方式を使用しなくてもデータを効率的に送信することができる。
上記のように、プリアンブルにあらかじめ設定された幾通りの最初動作モードのうちの１つに関する情報を載せて送信すると、端末機は、上記最初動作モード情報を検出してシステム情報を取得しなければならない。図７Ａ〜図８Ｂに示すように、最初動作モード情報がプリアンブルパターンの位相シフトを介して送信される場合に、端末機は、該当検出アルゴリズムとして図９のような動作を遂行する。
【００５３】
図９は、本発明の他の実施形態によるＢＷＡ通信システムにおけるプリアンブルパターンの位相をシフトすることによって構成されたプリアンブルパターンから動作モードを検出するための動作を示すフローチャートである。
図９を参照すると、ステップ９００で、端末機は、プリアンブルを受信し、ステップ９０２で、初期同期を取得する。ここで、上記初期同期の取得とは、フレーム同期、サンプリングタイミング同期、及び周波数同期の取得を意味する。ステップ９０４で、端末機は、プリアンブルパターンに対する位相変化を抽出する。
ステップ９０６で、端末機は、プリアンブルを生成する時に発生された位相の変化を認知して動作モードを検出する。ステップ９０８で、端末機は、時間領域プリアンブルパターンに対する位相を復元する。ステップ９１０で、端末機は、高速フーリエ変換を遂行し、ステップ９１２で、端末機は、プリアンブルコードを検出する。
ステップ９１４で、端末機は、セル及びセクター検索を完了し、ステップ９１６で、システム情報を抽出する。ステップ９１８で、端末機は、上述したように、下りリンク及び上りリンク情報を抽出し、ステップ９２０で、端末機は、上りリンクを介してデータを送信し、下りリンクを介して受信されたデータを復号する。
【００５４】
図９に示すように、基本的に、プリアンブルは、セル又はセクターを区分することができるように、各セル又はセクター識別子（ＩＤ）に従って幾通りのパターン（周波数軸上のコード）のうちの１つを選択して送信される。これは、ＣＤＭＡ移動通信システムにおけるＰＮシーケンスが基地局ごとに異なって設定されているように、ＯＦＤＭＡシステムにおけるプリアンブルが基地局ごとに異なって設定されているので可能である。
従って、第２の方法は、最初動作モードを送信するために、時間領域で反復されたプリアンブルパターンを位相シフトする。この場合に、プリアンブルシーケンスが時間領域で有する最初動作モードの数、すなわち、位相シフトされた組合せの数のみを検出することによって、最初動作モードを検出することができる。
このような方式にて、端末機は、複雑度を増加させずにも、最初動作モード及びセル／セクターを検出することができる。
【００５５】
第３の方法
第３の方法は、擬似ランダムシーケンスを使用して最初動作モード情報を送信する方法である。
本発明は、周波数領域で構成された擬似ランダムシーケンスの逆高速フーリエ変換を遂行してプリアンブル信号を生成し、上記プリアンブル信号に用いられる擬似ランダムシーケンスを各最初動作モードに従って異なって構成する。
説明の便宜のために、最初動作モードは、４種類があると仮定して例に挙げて説明する。従って、上記最初動作モードの数は、変更可能であることに留意しなければならない。
このとき区分されるべき最初動作モードが４種類である場合に、４種類の擬似ランダムシーケンスを用いて上記プリアンブルを構成し、上記最初動作モードを上記プリアンブルで表現する。この場合に、プリアンブル信号は、各最初動作モードに対して選択された擬似ランダムシーケンスの逆高速フーリエ変換を遂行して得られる。
このような最初動作モードに従うプリアンブル信号の構成を説明すると、下記のように、４種類の擬似ランダムシーケンスを選択すると仮定する。
【００５６】
擬似ランダムシーケンス＃１＝１，−１，１，１，−１，−１，１，１，．．
擬似ランダムシーケンス＃２＝１，１，１，−１，１，−１，１，１，．．
擬似ランダムシーケンス＃３＝−１，１，−１，１，１，１，１，−１，．．
擬似ランダムシーケンス＃４＝１，−１，−１，−１，１，−１，１，−１，．．
【００５７】
このとき区分されるべき最初動作モードが４種類である場合には、最初動作モードに擬似ランダムシーケンスを一対一にマッピングする。
すなわち、“最初動作モード１”には、“擬似ランダムシーケンス＃１”をマッピングし、“最初動作モード２”には、“擬似ランダムシーケンス＃２”をマッピングし、“最初動作モード３”には、“擬似ランダムシーケンス＃３”をマッピングし、“最初動作モード４”には、“擬似ランダムシーケンス＃４”をマッピングする。このようにして、それぞれの最初動作モードを取得することができ、それぞれの最初動作モードに相互に異なるプリアンブルシーケンスをマッピングしてプリアンブルパターンを構成することができる。
【００５８】
本発明のまた他の実施形態に従って設定されたサブチャンネル構成方式を区分するための最初動作モードの数を４つに限定する。しかしながら、最初動作モードの数は、変更可能である。すなわち、最初動作モードの数だけのプリアンブルを構成することができる。上述したプリアンブル構成方法は、１つの例であり、本発明の実施形態に使用された擬似ランダムシーケンスも一例であるだけ、他の擬似ランダムシーケンスを用いてもよい。また、各チャンネル符号化方式までも考慮してプリアンブルを構成してもよい。この場合に、４つのサブチャンネル構成方式及び４つのチャンネル符号化方式が存在すると、１６つのプリアンブルシーケンスのすべては、上記擬似ランダムシーケンスを使用して区分されることができる。
【００５９】
このようなプリアンブル信号を送信することによって、最初動作モードに関する情報を送信することができる。従って、端末機は、フレームごとに最初のシンボルに送信された下りリンクプリアンブルを介して最初動作モードを検出することができ、このような検出の結果を用いて、ＦＣＨ及び下りリンク／上りリンクマップに関する情報を復号することができる。
上記擬似ランダムシーケンスを使用する場合に、端末機は、該当検出アルゴリズムとして図１０のような動作を遂行しなければならない。
【００６０】
図１０は、本発明のまた他の実施形態によるＢＷＡ通信システムにおける擬似ランダムシーケンスを使用して動作モードを検出する動作を示すフローチャートである。
図１０を参照すると、ステップ１０００で、端末機は、プリアンブルを受信し、ステップ１００２で、初期同期を取得する。ここで、上記初期同期の取得とは、フレーム同期、サンプリングタイミング同期、及び周波数同期の取得を意味する。ステップ１００４で、端末機は、高速フーリエ変換（ＦＦＴ）を遂行する。ステップ１００６で、端末機は、動作モード及び基地局を区分するためのプリアンブルコード及び動作モードを検出した後に、ステップ１００８に進行する。すなわち、上記プリアンブルコードの検出は、動作モードの区分のための擬似ランダムシーケンスを抽出し、上記擬似ランダムシーケンスにマッピングされている動作モードを検出する過程を意味する。
ステップ１００８で、端末機は、セル及びセクター検索を完了し、ステップ１０１０で、端末機は、システム情報を抽出する。ステップ１０１２で、端末機は、上述したように、下りリンク及び上りリンク情報を抽出する。ステップ１０１４で、端末機は、上りリンクを介してデータを送信し、下りリンクを介して受信されたデータを復号する。
【００６１】
図１０に示すように、基本的に、プリアンブルは、セル又はセクターを区分することができるように、各セル又はセクター識別子（ＩＤ）に従って幾通りのパターン（周波数軸上のコード）のうちの１つを選択して送信される。これは、ＣＤＭＡ移動通信システムにおけるＰＮシーケンスが基地局ごとに異なって設定されているように、ＯＦＤＭＡシステムにおけるプリアンブルが基地局ごとに異なって設定されているので可能である。従って、上記第３の方法は、最初動作モード情報を送信するために、周波数領域で構成された擬似ランダムシーケンスを使用する。
【００６２】
上述したように、本発明は、各プリアンブル信号を使用して最初動作モードを決定する３つの方法を提案し、上述した各実施形態は、説明の便宜のために例に挙げられたものである。上記動作モードは、下りリンクフレーム区間で送信されたフレームのサブチャンネル構成方式及びチャンネル符号化方式に限定されない。
上述したような３つの方法によれば、プリアンブルパターンをあらかじめ決定し、上記プリアンブルパターンのうちからプリアンブルパターンを選択する。このように、上記プリアンブルパターンを動作モードにマッピングし、上記選択されたプリアンブルパターンを使用してプリアンブルを構成する。従って、上記プリアンブルを送受信することによって動作モードを決定することができる。ここで、上記プリアンブルを受信する受信側は、上記動作モードを検出するための情報をあらかじめ貯蔵しなければならない。
【００６３】
また、本発明の方法は、ソフトウェアによって実現された後に、コンピュータで読み出されることができる記憶媒体（ＣＤ−ＲＯＭ、ＲＡＭ、フロッピー（登録商標）ディスク、ハードディスク、光磁気（magneto-optical；ＭＯ）ディスクなど）に記憶することができる。
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００６４】
【図１】一般的なＢＷＡ通信システムにおける下りリンクフレームの動作モードの一例を示す図である。
【図２】本発明の実施形態によるＢＷＡ通信システムにおける下りリンクフレームの動作モードの一例を示す図である。
【図３】本発明の実施形態によるＢＷＡ通信システムにおける最初動作モードを検出し、次に送信されるシンボルに対するデータ復号を遂行する動作を示すフローチャートである。
【図４】本発明の実施形態によるＢＷＡ通信システムにおけるプリアンブルを構成する方法を説明するための図である。
【図５】本発明の実施形態によるＢＷＡ通信システムにおけるプリアンブルを構成する方法を説明するための図である。
【図６】本発明の実施形態によるＢＷＡ通信システムにおける端末機が時間及び周波数領域を使用して構成されたプリアンブルから動作モードを検出する動作を示すフローチャートである。
【図７Ａ】本発明の他の実施形態によるサブキャリアにプリアンブル信号をマッピングする方法の一例を示す図である。
【図７Ｂ】本発明の他の実施形態によるＢＷＡ通信システムにおけるプリアンブルを構成する方法を示す図である。
【図８Ａ】本発明の他の実施形態によるサブキャリアにプリアンブル信号をマッピングする方法の一例を示す図である。
【図８Ｂ】本発明の他の実施形態によるＢＷＡ通信システムにおけるプリアンブルを構成する方法を示す図である。
【図９】本発明の他の実施形態によるＢＷＡ通信システムにおける端末機がプリアンブルパターンの位相をシフトして構成されたプリアンブルパターンから動作モードを検出する動作を示すフローチャートである。
【図１０】本発明のまた他の実施形態によるＢＷＡ通信システムにおける端末機が擬似ランダムシーケンスを使用して動作モードを検出する動作を示すフローチャートである。
【図１】
2006014321.tif 000004
【図２】
2006014321.tif 000005
【図３】
2006014321.tif 000006
【図４】
2006014321.tif 000007
【図５】
2006014321.tif 000008
【図６】
2006014321.tif 000009
【図７Ａ】
2006014321.tif 000010
【図７Ｂ】
2006014321.tif 000011
【図８Ａ】
2006014321.tif 000012
【図８Ｂ】
2006014321.tif 000013
【図９】
2006014321.tif 000014
【図１０】
2006014321.tif 000015
【外国語明細書】
2006014321.tif 000016
2006014321.tif 000017
2006014321.tif 000018
2006014321.tif 000019
2006014321.tif 000020
2006014321.tif 000021
2006014321.tif 000022
2006014321.tif 000023
2006014321.tif 000024
2006014321.tif 000025
2006014321.tif 000026
2006014321.tif 000027
2006014321.tif 000028
2006014321.tif 000029
2006014321.tif 000030
2006014321.tif 000031
2006014321.tif 000032
2006014321.tif 000033
2006014321.tif 000034
2006014321.tif 000035
2006014321.tif 000036
2006014321.tif 000037
2006014321.tif 000038
2006014321.tif 000039
2006014321.tif 000040
2006014321.tif 000041
2006014321.tif 000042
2006014321.tif 000043
2006014321.tif 000044
2006014321.tif 000045
2006014321.tif 000046
2006014321.tif 000047
2006014321.tif 000048
2006014321.tif 000049
2006014321.tif 000050
2006014321.tif 000051
2006014321.tif 000052
2006014321.tif 000053
2006014321.tif 000054
2006014321.tif 000055
2006014321.tif 000056
2006014321.tif 000057
2006014321.tif 000058